(57)【特許請求の範囲】
【請求項１】
第１のモードと第２のモードを切り替え可能な多機能時計用ムーブメントであって、
該第１のモードと該第２のモードの切り替えを行うための外部操作部材と、
該外部操作部材のモード切り替え操作に連動し移動する作動部品と、
被操作部を有する被操作部品と、
前記被操作部が視認可能な穴と、を有し、
前記第１のモードでは、前記被操作部と前記作動部品が平面視で重ならず、
前記穴を通して前記作動部品が視認されず、
前記第２のモードでは、前記被操作部と前記作動部品が平面視で重なり、
前記穴を通して前記作動部品が視認される
ことを特徴とする多機能時計用ムーブメント。
【請求項２】
前記被操作部品は、オシドリであり、
前記第２のモードで、前記オシドリが、前記作動部品と平面視で重なることで、巻真を外す操作が不可能となる
ことを特徴とする請求項１に記載の多機能時計用ムーブメント。
【請求項３】
前記オシドリにリブを有し、
前記第２のモードで、前記作動部品が前記リブの近傍に位置してロックすることで、
前記巻真の引き操作を不可能とする
ことを特徴とする請求項２に記載の多機能時計用ムーブメント。
【請求項４】
前記被操作部品は、電池押えであり、
前記第２のモードで、前記電池押えが、前記作動部品と平面視で重なることで、電池が強固に保持され、電池交換を不可能とする 
ことを特徴とする請求項１から３のいずれか１つに記載の多機能時計用ムーブメント。
【請求項５】
前記被操作部品は、検査端子であり、
前記第２のモードで、前記検査端子が、前記作動部品と平面視で重なることで、前記検査端子の操作による検査が行われることを防ぐ 
ことを特徴とする請求項１から４のいずれか１つに記載の多機能時計用ムーブメント。
【請求項６】
前記検査端子は、システムリセット端子である
ことを特徴とする請求項５に記載の多機能時計用ムーブメント。
【請求項７】
前記第１のモードが通常時刻モードである
ことを特徴とする請求項１から６のいずれか１つに記載の多機能時計用ムーブメント。
【請求項８】
前記第２のモードがクロノグラフモードであり、
前記作動部品がクロノグラフ機能を実現するためのレバー類である
ことを特徴とする請求項１から７のいずれか１つに記載の多機能時計用ムーブメント。
【請求項９】
請求項１から８のいずれか１つに記載の多機能時計用ムーブメントを使用した多機能時計。
【発明の詳細な説明】
【技術分野】
【０００１】
本発明は、通常時刻モードなどとクロノグラフなどの他の機能モードを切り替え可能な時計における針付の精度向上など、時計の信頼性を向上させる構造に関する。
【背景技術】
【０００２】
従来、クロノグラフ付時計において、クロノグラフ指針が電気的に駆動制御され、機械的に初期位置に帰零されるタイプのクロノグラフ付時計がある。
この種の時計のクロノグラフ輪列を構成するクロノグラフ車は、クロノグラフ歯車、クロノグラフ真、ハートカム等で構成され、クロノグラフ真の先端にクロノグラフ針が取り付けられている。クロノグラフ機構には複数のレバーが構成されており、その一部である復針レバーが作動することによってハートカムを回転させ、クロノグラフ針を初期位置に帰零させている。
【０００３】
またクロノグラフ付時計の中には、通常時刻モードとクロノグラフモードを切替える時計がある。この種の時計は外部操作部材と連動する作動カムを有しており、この作動カムは上記クロノグラフ機構に構成されるレバーとも連動する。例えば、通常時刻モードからクロノグラフモードに切替える場合、外部操作部材を操作することにより、クロノグラフ機構を構成するレバーの一部である発停伝えレバーが発停レバーと連動する位置まで移動する。一方で復針レバーが開放され、クロノグラフ車の制限を解除する。逆にクロノグラフモードから通常時刻モードに切替える場合、外部操作部材を操作することにより、発停伝えレバーが発停レバーと連動できない位置まで移動する。一方で復針レバーが初期のクロノグラフ車を制限する位置に移動する。（以上、特許文献１参照）
また、時計の製造工程において、時計の完成ムーブメントに針付けを行う際、巻真着脱などの巻真操作が必要不可欠であることは文献を挙げるまでもなく周知である。
巻真の脱着をオシドリの一端を押して巻真の溝係合部を解除して行うことは、例えば特許文献２で公知であり、時計の完成ムーブメントには巻針脱着のためのオシドリを操作するスペースが設けられている。
【先行技術文献】
【特許文献】
【０００４】
【特許文献１】特開昭６１−８３９９１号公報
【特許文献２】実公昭６１−２６９４１号公報
【発明の概要】
【発明が解決しようとする課題】
【０００５】
上記のように、クロノグラフ指針が電気的に駆動制御され、機械的に初期位置に帰零されるタイプのクロノグラフ付時計で、且つ通常時刻モードとクロノグラフモードを切替える時計において、完成ムーブメントにクロノグラフ針を付ける際は、ハートカム帰零状態にある通常時刻モードで行わなければならない。なぜなら、クロノグラフモードではハートカム開放状態になり、クロノグラフがスタートされていない場合においてもハートカムが不安定な状態になる。そのような状態で針付けを行った場合、ハートカムと小針の角度位置がずれてしまうことが危惧されるためである。
【０００６】
しかしながら、従来技術においては完成ムーブメント状態では通常時刻モードとクロノグラフモードを見分けることは安易ではなく、作業者が誤ったモードで針付けを行うことが危惧される。また、時計故障時のアフターサービス（以下、ＡＳ）の場において、メーカー部外者が針付けを行う場合は、誤ったモードで針付けを行うことがより危惧される。
本発明は、通常時刻モードとクロノグラフモードを容易に確認でき、誤ったモードで針付けが行えないように構造的にも制限を与えた時計を提供することを目的とする。
【課題を解決するための手段】
【０００７】
上記課題を解決するために、本発明は、第１のモードと第２のモードを切り替え可能な多機能時計用ムーブメントであって、該第１のモードと該第２のモードの切り替えを行うための外部操作部材と、該外部操作部材のモード切り替え操作に連動し移動する作動部品と、被操作部を有する被操作部品と、前記被操作部が視認可能な穴と、を有し、前記第１のモードでは、前記被操作部と前記作動部品が平面視で重ならず、前記穴を通して前記作動部品が視認されず、前記第２のモードでは、前記被操作部と前記作動部品が平面視で重なり、前記穴を通して前記作動部品が視認されることを特徴とする。
【０００８】
また、本発明は、前記被操作部品は、オシドリであり、前記第２のモードで、前記オシドリが、前記作動部品と平面視で重なることで、巻真を外す操作が不可能となることを特徴とする。
【発明の効果】
【０００９】
本発明により、指針が取り付けられていないムーブメント状態において、通常時刻モードなどの第１のモードとクロノグラフモードなどの第２のモードを容易に確認することが可能となる。また、クロノグラフモードなどの第２のモードでの巻真の着脱が構造的に不可能となる。以上より、指針の取り付けが通常時刻モードなどの第１のモードにて確実に行われるようになり、指針の針付け精度を向上させることが出来る。
【図面の簡単な説明】
【００１０】
【図１】本発明の第一実施形態に係る、クロノグラフ付時計１００の通常時刻モード時の平面図である。
【図２】本発明の第一実施形態に係る、クロノグラフ付時計１００のクロノグラフモード時の平面図である。
【図３】本発明の第一実施形態に係る、クロノグラフ付時計ムーブメント２００の通常時刻モード時の内部構成を裏蓋側から視た模式図である。
【図４】図３のＡ−Ａ線による断面図である。
【図５】本発明の第一実施形態に係る、クロノグラフ付時計ムーブメント２００の通常時刻モード時の内部構成を分かり易くするために、後述の電池支持枠押さえ２７を透視した図である。
【図６】本発明の第一実施形態に係る、クロノグラフ付時計ムーブメント２００のクロノグラフモード時の内部構成を裏蓋側から視た模式図である。
【図７】図６のＢ−Ｂ線による断面図である。
【図８】本発明の第一実施形態に係る、クロノグラフ付時計ムーブメント２００のクロノグラフモード時の内部構成を分かり易くするために、電池支持枠押さえ２７を透視した図である。
【図９】本発明の第２実施形態に係る、クロノグラフ付時計ムーブメント３００の通常時刻モード時の内部構成を分かり易くするために、後述の電池支持枠押さえ１２７を透視した図である。
【図１０】図９Ｃ−Ｃ線による断面図である。
【図１１】本発明の第２実施形態に係る、クロノグラフ付時計ムーブメント３００のクロノグラフモードの内部構成を分かり易くするために、電池支持枠押さえ１２７を透視した図である。
【図１２】図１１のＤ−Ｄ線による断面図である。
【図１３】本発明の第３実施形態に係る、クロノグラフ付時計ムーブメント４００の通常時刻モードの内部構成を分かり易くするために、電池支持枠押さえ２７を透視した図である。
【図１４】図１３のＥ−Ｅ線による断面図である。
【図１５】本発明の第３実施形態に係る、クロノグラフ付時計ムーブメント４００のクロノグラフモードの内部構成を分かり易くするために、電池支持枠押さえ２７を透視した図である。
【図１６】図１５Ｆ−Ｆ線による断面図である。
【図１７】本発明の第４実施形態に係る、クロノグラフ付時計ムーブメント５００の通常時刻モード且つ巻真０段引き状態の内部構成を分かり易くするために、電池支持枠押さえ２７を透視した図である。
【図１８】図１７のＧ−Ｇ線による断面図である。
【図１９】本発明の第４実施形態に係る、クロノグラフ付時計ムーブメント５００の通常時刻モード且つ巻真２段引き状態の内部構成を分かり易くするために、電池支持枠押さえ２７を透視した図である。
【図２０】本発明の第４実施形態に係る、クロノグラフ付時計ムーブメント５００のクロノグラフモード且つ巻真０段引き状態の内部構成を分かり易くするために、電池支持枠押さえ２７を透視した図である。
【図２１】図２０のＨ−Ｈ線による断面図である。
【発明を実施するための形態】
【００１１】
以下、添付図面を参照しながら、本発明をクロノグラフ付時計に適用した実施形態について詳細に説明する。
【００１２】
［第１の実施形態］
最初に、本実施形態における、指針表示などの時計仕様について説明する。
図１は、本発明の第一実施形態に係る、クロノグラフ付時計１００の通常時刻モード時の平面図、  図２は、本発明の第一実施形態に係る、クロノグラフ付時計１００のクロノグラフモード時の平面図である。
図１及び図２において、１は時計の外装である胴、２は文字板、３は時針、４は分針、５は秒針である。秒針５は秒クロノグラフ針としても兼用される。６は時クロノグラフ針、７は分クロノグラフ針、８は１／１０秒クロノグラフ針、９は１／１００秒クロノグラフ針、１０は１／１０００秒クロノグラフ針であり、これらの針はクロノグラフ専用である。１１は竜頭であり、時針３、分針４、秒針５で示される通常時刻の修正などで使用される。１２ａ，１２ｂ，１２ｃは操作ボタンであり、クロノグラフの各種操作や通常時刻モードとクロノグラフモードとの切り替えに使用される。１３はバンド固定部である。
【００１３】
図１に示す通常時刻モードでは、時針３、分針４、秒針５のみが動き、時刻を示す。このとき、時クロノグラフ針６、分クロノグラフ針７、１／１０秒クロノグラフ針８、１／１００秒クロノグラフ針９、１／１０００秒クロノグラフ針１０は初期位置で停止している。
図２に示すクロノグラフモードでは、時針３、分針４は、クロノグラフモード内の状態に係らず、常に時刻を表示している。クロノグラフをスタートさせていないリセット状態の場合においては、秒クロノグラフ針としても兼用される秒針５は１２時方向を指した状態で停止している。
（以下、秒針５を、通常時刻モードでは「秒針５」、クロノグラフモードでは、「秒クロノグラフ針５」と記載する。）
操作ボタン１２ｂによりクロノグラフがスタートされたラン状態の場合においては、秒クロノグラフ針５と時クロノグラフ針６、分クロノグラフ針７、１／１０秒クロノグラフ針８、１／１００秒クロノグラフ針９、１／１０００秒クロノグラフ針１０が動く。クロノグラフ動作中の再度の操作ボタン１２ｂの操作によりストップさせると、操作時点の経過時間を示す。このとき、時針３、分針４はクロノグラフをスタートさせていない場合同様
の動きをし、時刻を示す。図２は、ストップ状態における指針の状態を示している。
【００１４】
図１，２より自明なように、本実施形態のクロノグラフ付時計１００は、通常時刻モードとクロノグラフモード、あるいはクロノグラフモードにおけるラン、ストップ、リセットのいずれの状態にあるかを示す、モードマークやモード指針等を有さない。
従って、指針が付いた完成時計状態では、通常時刻モードとクロノグラフモード、あるいはクロノグラフモードにおけるラン、ストップ、リセットのいずれの状態かは判別可能であるものの、指針の無いムーブメント状態で表示面側を見ても、その判別は不可能である。
【００１５】
なお、図１及び図２に示したクロノグラフ付時計１００のデザインは一例である。ここで示したもの以外にも、例えば、胴１を丸型ではなく角型にしてもよいし、竜頭１１や操作ボタン１２の有無、数、配置は任意である。また、本実施形態では、クロノグラフの経過時間を示す指針は秒クロノグラフ針としても兼用される秒針５、時クロノグラフ針６、分クロノグラフ針７、１／１０秒クロノグラフ針８、１／１００秒クロノグラフ針９、１／１０００秒クロノグラフ針１０の６本でとしているが、これに限定されず１／１０００秒クロノグラフ針１０を省略しても、これら以外の精度を示すクロノグラフ針を追加したりしてもよい。
【００１６】
続いて、本実施形態のクロノグラフ付時計１００の、ムーブメント構造について説明する。
図３は、本実施形態に係る、クロノグラフ付時計ムーブメント２００の通常時刻モード時の内部構成を裏蓋側から視た模式図であり、図４は、図３のＡ−Ａ線による断面図である。図５は本実施形態に係る、クロノグラフ付時計ムーブメント２００の通常時刻モード時の内部構成を分かり易くするために、後述の電池支持枠押さえ２７を透視した図である。
【００１７】
なお、図３以降の平面図は、図１、図２で示した指針側とは反対側の、裏面側から見た平面図である。
図３、４及び図５において、１２ａは通常時刻モードとクロノグラフモードを切替える操作ボタン、１２ｂはクロノグラフをスタート・ストップさせる操作ボタン、１２ｃはクロノグラフをリセットさせる操作ボタンである。
１4は竜頭１１が取り付けられる巻真、１５は巻真１４を外すために操作するためのおしどり、１５ａは巻真を外す際に操作性を向上させるためにおしどり１５に設けられた凹み、１６は操作ボタン１２ａに連動する作動レバー、１７は作動カム、１８は通常時刻モードとクロノグラフモードを切替える操作ボタン１２ａを初期位置に戻すための、クロノグラフ作動レバーばねである。１９は切替えレバー、２０は復針レバー（１）、２１は復針レバー（２）、２２は発停伝えレバー、２２ａは発停伝えレバー２２の先端、２３は発停レバーであり、これらはクロノグラフ機構を構成する部品の一部である。２４は不図示のクロノグラフ真（１）に圧入固定されるハートカム（１）であり、クロノグラフ真（１）と分クロノグラフ針７は固着されている。２５は不図示のクロノグラフ真（２）に圧入固定されるハートカム（２）であり、クロノグラフ真（２）と時クロノグラフ針６は固着されている。２６は地板、２７は不図示の電池などを押さえるための金属製の電池支持枠押さえ、２７ａはおしどりを操作するために電池支持枠押さえ２７に設けられたおしどり操作穴である。
【００１８】
図３、図４、図５に示すように、通常時刻モードでは、おしどり操作穴２７ａにおいて、凹み１５ａと発停伝えレバー２２の先端２２ａとは平面視で重なっていない。従って、おしどり操作穴２７ａを通しておしどり１５の操作が可能であり、巻真１４の取り外しが可能となる。
【００１９】
次に、図５から図８を用いて、通常時刻モードからクロノグラフモードに切替わる機構を以下に説明する。図６は本発明の第一実施形態に係る、クロノグラフ付時計ムーブメント２００のクロノグラフモード時の内部構成を裏蓋側から視た模式図である。図７は、図６のＢ−Ｂ線による断面図である。図８は本発明の第一実施形態に係る、クロノグラフ付時計ムーブメント２００のクロノグラフモード時の内部構成を分かり易くするために、電池支持枠押さえ２７を透視した図である。
図５の通常時刻モードにおいて、通常時刻モードとクロノグラフモードを切替える操作ボタン１２ａを押すと作動レバー１６が押されて動き、作動レバー１６と噛合っている作動カム１７が連動して回転する。そして作動カム１７と噛合っている切替えレバー１９も連動して動き、切替えレバー１９のピンと係合されている発停伝えレバー２２が連動し、図６に示す発停レバー２３と連動する位置まで移動し、クロノグラフが使用できるようになる。
【００２０】
図６のクロノグラフモードにおいて、復針レバー（１）２０とハートカム（１）２４、復針レバー（２）２１とハートカム（２）２５はそれぞれ離れた位置関係にあり、ハートカム（１）２４とハートカム（２）２５は不安定な状態である。この状態で、ハートカム（１）２４と係合されている分クロノグラフ針７、ハートカム（２）２５と係合されている時クロノグラフ針６に針付けを行った場合、各ハートカムと各指針の角度位置がずれてしまうことが危惧される。したがって、クロノグラフモードで針付けを行うことは回避せねばならない。従って、クロノグラフモードでは、針付け時に必要である巻真着脱などの巻真操作を行えないようにすることが望ましい。
【００２１】
図６、図７、図８に示すように、クロノグラフモードでは、おしどり操作穴２７ａにおいて、凹み１５ａと発停伝えレバー２２の先端２２ａとは平面視で重なっている。従って、おしどり操作穴２７ａを通しておしどり１５の操作が不可能となり、巻真１４の取り外しが不可能となる。従って、クロノグラフモードで誤って、巻真１４の取り外しが行われることを防ぐことが可能となる。
【００２２】
また、図３と図６からわかるように、通常時刻モードではおしどり操作穴２７ａを通して発停伝えレバー２２の先端２２ａが見えないのに対し、クロノグラフモードではおしどり操作穴２７ａを通して発停伝えレバー２２の先端２２ａがはっきり視認できる。従って、おしどり操作穴２７ａの内部を視認することでクロノグラフ付時計１００のモードが認識できる。
例えば、針付け作業において、まずおしどり操作穴２７ａを視認してモードを判別し、クロノグラフモードであれば通常時刻モードにモード変更してから針付け作業を行うようにすれば、針付け時の指針位置ズレなどを未然に防ぐことが可能となる。
【００２３】
本発明は上記のように、クロノグラフ機構に構成される発停伝えレバー２２の動きを利用し、クロノグラフモードにおいて、おしどり操作穴２７ａ内で発停伝えレバー２２がおしどり１５を覆い隠す機構としたものである。これにより、視覚的にも容易にモードを見分けることが可能で、クロノグラフモードでは構造的にも巻真を外すことを制限する効果を得ることができる。
【００２４】
なお、補足ではあるが、本実施形態では、電池支持枠押さえ２７に、切替えレバー１９と発停伝えレバー２２の接続部に２７ｂ、作動カム１７に２７ｃの各確認穴を有しており、２７ｂ、２７ｃによってもモードを確認できるようになっている。
【００２５】
［第２の実施形態］
第１の実施形態の「モード切替え時に動作する部品を用いて、モードＡのときには部品Ｃ
を隠し、モードＢのときは部品Ｃを隠さない」、という機構を利用すると以下のような実施形態も考えられる。
【００２６】
図９は本発明の第２実施形態に係る、クロノグラフ付時計ムーブメント３００の通常時刻モード時の内部構成を分かり易くするために、後述の電池支持枠押さえ１２７を透視した図である。なお、既出の構成要素と同一の構成要素については、同一の番号を付し、説明を省略する。
２８は回路基板、２８ａは回路基板２８に配置されている時計ムーブメント状態で通常時刻モードに関する検査を行うための検査端子、１２２は発停伝えレバー、１２２ｂは発停伝えレバー１２２の膨らみ部、１２７は電池支持枠押さえ、１２７ｄは電池支持枠押さえ１２７に検査端子を操作するために設けられた検査端子操作穴である。これらは第１実施形態と比較して、変形及び追加されたものである。図１０は、図９のＣ−Ｃ線による断面図である。
【００２７】
図９、図１０に示すように、通常時刻モードでは、検査端子操作穴１２７ｄにおいて、検査端子２８ａと発停伝えレバー１２２の膨らみ部１２２ｂとは平面視で重なっていない。従って、検査端子操作穴１２７ｄを通して検査端子２８ａの操作が可能であり、時計ムーブメント状態で通常時刻モードに関する検査が可能となる。
図１１は本発明の第２実施形態に係る、クロノグラフ付時計ムーブメント３００のクロノグラフモードの内部構成を分かり易くするために、電池支持枠押さえ１２７を透視した図である。図１２は、図１１のＤ−Ｄ線による断面図である。なお、通常時刻モードからクロノグラフモードに切替わる機構は、第１実施形態と同様のため省略する。
図１１、図１２に示すように、クロノグラフモードでは、検査端子操作穴１２７ｄにおいて、検査端子２８ａと発停伝えレバー１２２の膨らみ部１２２ｂとは平面視で重なっている。
（実際には、検査端子２８ａは見えないが、説明をわかりやすくするために、実線で記載している。）
従って、検査端子操作穴１２７ｄを通して検査端子２８ａの操作が不可能となり、時計ムーブメント状態で時刻運針の作動確認が不可能となる。従って、クロノグラフモードで誤って、通常時刻モードに関する検査が行われることを防ぐことが可能となる。
【００２８】
また、図９と図１１からわかるように、通常時刻モードでは検査端子操作穴１２７ｄを通して発停伝えレバー１２２の膨らみ部１２２ｂが見えないのに対し、クロノグラフモードでは検査端子操作穴１２７ｄを通して発停伝えレバー１２２の膨らみ部１２２ｂがはっきり視認できる。従って、検査端子操作穴１２７ｄの内部を視認することでクロノグラフ付時計ムーブメント３００のモードが認識できる。
【００２９】
なお、上記では検査端子２８ａを通常時刻モードに関する検査を検査する端子としたが、
回路基板２８に搭載のＩＣ（不図示）のシステムリセット用端子としても良い。
【００３０】
これにより、システムリセットは必ず通常時刻モードにて行われるようになるので、第1の実施形態と同様、生産工程やＡＳでの針付け作業を、より確実に行うことが可能となる。
【００３１】
［第３の実施形態］
続いて、本発明の第３実施形態について説明する。第３実施形態は、本発明を用いて、所定のモードで電池の取り外しを不可能にした実施例である。なお、既出の構成要素と同一の構成要素については、同一の番号を付し、説明を省略する。
図１３は本発明の第３実施形態に係る、クロノグラフ付時計ムーブメント４００の通常時
刻モードの内部構成を分かり易くするために、電池支持枠押さえ２７を透視した図である。３１は電池、２９は、電池３１を押さえることで、クロノグラフ付時計ムーブメント４００に固定するための電池押さえ、２９ａは電池押さえ２９のねじ止め部、３０はねじ止め部２９ａをクロノグラフ付時計ムーブメント４００に固定するための電池押さえねじ、２２は切替えレバー、２２ｂは切替えレバー２２の先端部である。これらは第１実施形態と比較して、変形及び追加されたものである。図１４は、図１３のＥ−Ｅ線による断面図である。
【００３２】
図１３、図１４に示すように、通常時刻モードでは、切替えレバー１１９の先端部１１９ａと電池押さえ２９のねじ止め部２９ａが平面視で重なっていない。従って、電池３１は電池押さえ２９と電池押さえねじ３０で保持されている。
【００３３】
図１５は本発明の第３実施形態に係る、クロノグラフ付時計ムーブメント４００のクロノグラフモードの内部構成を分かり易くするために、電池支持枠押さえ２７を透視した図である。図１６は、図１５のＦ−Ｆ線による断面図である。なお、通常時刻モードからクロノグラフモードに切替わる機構は、第１実施形態と同様のため省略する。
【００３４】
図１５、図１６に示すように、クロノグラフモードでは、切替えレバー１１９の先端部１１９ａと電池押さえ２９のねじ止め部２９ａが平面視で重なっている。従って、不図示である電池は、電池押さえ２９と電池押さえねじ３０、切替えレバー１１９の先端部１１９ａで保持されている。
上記より、クロノグラフモードは通常時刻モードと比較すると、切替えレバー１１９の先端部１１９ａにより電池３１が強固に保持されており、電池外れを防ぎやすい。例えば、時計使用者がクロノグラフで時間計測中、落下等により、時計に強い衝撃を与えてしまった場合においても、電池外れを防ぎやすく、時間計測を継続することが可能である。
【００３５】
また、クロノグラフモードで電池３１の交換が不可能となる。このため、生産工程やＡＳにおいて、電池３１の交換は通常時刻モードでしか行えないため、作業者は、必ず通常時刻モードで作業を行うこととなる。これにより、第１の実施形態と同様、クロノグラフモードで針付け作業を行うことを防ぐことが可能となる。
【００３６】
また、図１３と図１５からわかるように、通常時刻モードでは電池押さえ２９のねじ止め部２９ａに切替えレバー１１９の先端部１１９ａが見えないのに対し、クロノグラフモードでは電池押さえ２９のねじ止め部２９ａに切替えレバー１１９の先端部１１９ａがはっきり視認できる。従って、電池押さえ２９のねじ止め部２９ａを視認することでクロノグラフ付時計ムーブメント４００のモードが認識できる。
【００３７】
［第４の実施形態］
第１の実施形態、第２の実施形態、第３の実施形態では「モード切替え時に動作する部品を用いて、モードＡのときには部品Ｃを隠し、モードＢのときは部品Ｃを隠さない」、という機構を利用したが、「モード切替え時に動作する部品を用いて、モードＡのときには部品Ｃ固定させ、モードＢのときは部品Ｃを固定させない」という機構も考えられ、これを利用すると、以下のような実施形態も考えられる。
図１７は本発明の第４実施形態に係る、クロノグラフ付時計ムーブメント５００の通常時刻モード且つ巻真０段引き状態の内部構成を分かり易くするために、電池支持枠押さえ２７を透視した図である。なお、既出の構成要素と同一の構成要素については、同一の番号を付し、説明を省略する。１１５はおしどり、１１５ａは巻真を外す際に操作性を向上させるためにおしどり１１５に設けられた凹み、１１５ｂはおしどり１１５に設けられたリブ、１１５ｃはおしどり１１５の回転の軸となるおしどり軸穴であり、おしどり軸穴１１５ｃは地板に固定された不図示のおしどり軸と係合している。これらは第１実施形態と比
較して、変形及び追加されたものである。図１８は、図１７のＧ−Ｇ線による断面図である。
図１７、図１８に示すように、通常時刻モードでは、おしどり操作穴２７ａにおいて、凹み１１５ａと発停伝えレバー２２の先端２２ａとは平面視で重なっていない。従って、おしどり操作穴２７ａを通しておしどり１１５の操作が可能であり、巻真１４の取り外しが可能となる。
【００３８】
次に、図１７と図１９を用いて、巻真０段引き状態から巻真２段引き状態に切替わる際の機構を以下に説明する。図１９は本発明の第４実施形態に係る、クロノグラフ付時計ムーブメント５００の通常時刻モード且つ巻真２段引き状態の内部構成を分かり易くするために、電池支持枠押さえ２７を透視した図である。
図１７において、巻真１４を時計ムーブメントから引張ると、０段引き状態から、１段引き状態、２段引き状態と切り替わる。この際、巻真１４と係合しているおしどり１１５は、おしどり軸穴１１５ｃを回転の軸として反時計回りに回転する。従って巻真１４を引張るとともに、おしどり１１５のおしどり軸穴１１５ｃより右の部分は上方向に、おしどり軸穴１１５ｃより左の部分は下方向に移動する。
【００３９】
図１７、図１８、図１９において、通常時刻モードでは、巻真１４がどのような状態においても、発停伝えレバー２２はおしどり１１５に設けられたリブ１１５ｂと接しない位置にあり、巻真１４を０段引き状態から１段引き状態及び２段引き状態に切替えることが可能である。
【００４０】
図２０は本発明の第４実施形態に係る、クロノグラフ付時計ムーブメント５００のクロノグラフモード且つ巻真０段引き状態の内部構成を分かり易くするために、電池支持枠押さえ２７を透視した図である。図２１は、図２０のＨ−Ｈ線による断面図である。
図２０、図２１に示すように、クロノグラフモードでは、おしどり操作穴２７ａにおいて、凹み１１５ａと発停伝えレバー２２の先端２２ａとは平面視で重なっている。従って、おしどり操作穴２７ａを通しておしどり１１５の操作が不可能となり、巻真１４の取り外しが不可能となる。従って、クロノグラフモードで誤って、巻真１４の取り外しが行われることを防ぐことが可能となる。
【００４１】
図２０のクロノグラフモードにおいて、発停伝えレバー２２の先端２２ａとおしどり１１５に設けられたリブ１１５ｂは隣り合わせに位置する。この状態で巻真１４を時計ムーブメントから引張り、０段引き状態から、１段引き状態、２段引き状態と変化させようとすると、発停伝えレバー２２の先端２２ａがおしどり１１５に設けられたリブ１１５ｂの反時計回り方向の回転をロックするため、１段引き状態及び２段引き状態に切替えることは不可能である。従って、クロノグラフモードで誤って、巻真１４を１段引き状態及び２段引き状態に切替えることを防ぐことが可能となる。
また、図１７と図２０からわかるように、通常時刻モードではおしどり操作穴２７ａを通して発停伝えレバー２２の先端２２ａが見えないのに対し、クロノグラフモードではおしどり操作穴２７ａを通して発停伝えレバー２２の先端２２ａがはっきり視認できる。従って、おしどり操作穴２７ａの内部を視認することでクロノグラフ付時計ムーブメント５００のモードが認識できる。
【００４２】
本発明の第４の実施形態は、第１の実施形態の効果に加え、クロノグラフモードにおいては、巻真を０段引き状態から１段引き状態及び２段引き状態に切替えることを不可能とする効果がある。これにより、構造的にも誤ったモードでの針付けを防ぎ、正しいモードでしか針付けを行えない時計を提供することができ、生産性の向上とＡＳの場においての問題発生を抑制することが可能である。
【００４３】
なお、以上の記載においては、オシドリ等の被操作部品が操作可能な第１のモードを通常時刻モード、操作不可能な第２のモードをクロノグラフモードとしたが、これには限定されない。上述のクロノモードにおけるレバー類に相当する作動部品があれば、第２モードを、タイマーモードやローカルタイムモード、アラーム時間の設定モードなどの他の機能モードとしても良い。
また、被操作部品が通常時刻モードで作動しては困るような、例えば、クロノグラフモード専用の検査端子の場合は、通常時刻モードを第２のモードとしても良い。
その他、この発明の主旨を逸脱しない範囲での変形が可能である。
【符号の説明】
【００４４】
１  胴
２  文字板
３  時針
４  分針
５  秒針（秒クロノグラフ針と兼用）
６  時クロノグラフ針
７  分クロノグラフ針
８  １／１０秒クロノグラフ針
９  １／１００秒クロノグラフ針
１０  １／１０００秒クロノグラフ針
１１  竜頭
１２ａ  モード切替えボタン
１２ｂ  クロノグラフのスタート・ストップボタン
１２ｃ  クロノグラフのリセットボタン
１３  バンド固定部
１４  巻真
１５  １１５  おしどり
１５ａ  １１５ａ  おしどりの凹み部
１１５ｂ  おしどりに設けられたリブ
１１５ｃ  おしどり軸穴
１６  作動レバー
１７  作動カム
１８  クロノグラフ作動レバーばね
１９  １１９  切替えレバー
１１９ａ  切替えレバーの先端
２０  復針レバー（１）
２１  復針レバー（２）
２２  １２２  発停伝えレバー
２２ａ  発停伝えレバーの先端
１２２ｂ  発停伝えレバーの膨らみ部
２３  発停レバー
２４  ハートカム（１）
２５  ハートカム（２）
２６  地板
２７  １２７  電池支持枠押さえ
２７ａ  １２７ａ  おしどり操作穴
２７ｂ  ２７ｃ  確認穴
１２７ｄ  検査端子用操作穴
２８  回路基板
２８ａ  検査端子
２９  電池押さえ
２９ａ  ねじ止め部
３０  電池押さえねじ
３１  電池
【図１】
0005926566.tif 000002
【図２】
0005926566.tif 000003
【図３】
0005926566.tif 000004
【図４】
0005926566.tif 000005
【図５】
0005926566.tif 000006
【図６】
0005926566.tif 000007
【図７】
0005926566.tif 000008
【図８】
0005926566.tif 000009
【図９】
0005926566.tif 000010
【図１０】
0005926566.tif 000011
【図１１】
0005926566.tif 000012
【図１２】
0005926566.tif 000013
【図１３】
0005926566.tif 000014
【図１４】
0005926566.tif 000015
【図１５】
0005926566.tif 000016
【図１６】
0005926566.tif 000017
【図１７】
0005926566.tif 000018
【図１８】
0005926566.tif 000019
【図１９】
0005926566.tif 000020
【図２０】
0005926566.tif 000021
【図２１】
0005926566.tif 000022